(57)【要約】  ランプアセンブリを提供する。本発明は、複数の光源、複数の導光体、及び少なくとも１つのレンズを含むランプアセンブリである。複数の導光体は、複数の光源に光学的に接続され、選択された複数の光源は、複数の導光体を通って選択的に伝播する光を出射する。少なくとも１つのレンズは、複数の導光体に光学的に接続される。【選択図】図２
2010519696.tif 000002
【特許請求の範囲】
【請求項１】
複数の光源と、
前記複数の光源に光学的に接続された複数の導光体と、
前記複数の光源に接続され、選択された該複数の光源を作動させて前記複数の導光体を通じて光を出射するように構成されたコントローラと、
前記複数の導光体に光学的に接続された少なくとも１つのレンズと、
を含むことを特徴とするランプアセンブリ。
【請求項２】
前記複数の導光体は、１つ又はそれよりも多くの主ロービーム導光体を有することを特徴とする請求項１に記載のランプアセンブリ。
【請求項３】
前記１つ又はそれよりも多くの主ロービーム導光体の両側に隣接して前記複数のロービーム導光体の一部を形成する１つ又はそれよりも多くの２次ロービーム導光体を更に含み、
前記２次ロービーム導光体の選択された１つが、ランプアセンブリがロービームモードで作動された時に作動される、
ことを特徴とする請求項２に記載のランプアセンブリ。
【請求項４】
前記１つ又はそれよりも多くの２次ロービーム導光体は、前記１つ又はそれよりも多くの主ロービーム導光体のうちの少なくとも１つの縁部からオフセットした段付き縁部を有することを特徴とする請求項３に記載のランプアセンブリ。
【請求項５】
前記１つ又はそれよりも多くの２次ロービーム導光体は、前記１つ又はそれよりも多くのロービーム導光体の幅よりも幅が狭いことを特徴とする請求項４に記載のランプアセンブリ。
【請求項６】
前記複数の導光体の一部分は、１つ又はそれよりも多くのハイビーム導光体を有し、該１つ又はそれよりも多くのハイビーム導光体は、ランプアセンブリがハイビームモードで作動された時に、選択された前記光源から光を選択的に伝播させることを特徴とする請求項１に記載のランプアセンブリ。
【請求項７】
前記１つ又はそれよりも多くのハイビーム導光体に隣接して１つ又はそれよりも多くの端部ハイビーム導光体を更に含み、
前記１つ又はそれよりも多くの端部ハイビーム導光体は、前記１つ又はそれよりも多くのハイビーム導光体の縁部からオフセットした段付き縁部を有する、
ことを特徴とする請求項６に記載のランプアセンブリ。
【請求項８】
前記１つ又はそれよりも多くのハイビーム導光体に隣接して１つ又はそれよりも多くの端部ハイビーム導光体を更に含み、
前記１つ又はそれよりも多くの端部ハイビーム光導体は、前記１つ又はそれよりも多くのハイビーム導光体の幅より幅が狭い、
ことを特徴とする請求項６に記載のランプアセンブリ。
【請求項９】
前記複数の導光体は、少なくとも１つの湾曲導光体を有し、
前記少なくとも１つの湾曲導光体は、ランプアセンブリが方向転換モードで作動される時に、選択された前記光源から光を選択的に伝播させる、
ことを特徴とする請求項１に記載のランプアセンブリ。
【請求項１０】
前記少なくとも１つの湾曲導光体は、湾曲導光体ではない前記複数の導光体よりも大きい幅を有し、
前記少なくとも１つの湾曲導光体の前記幅は、該少なくとも１つの湾曲導光体から出射された光の曲げを可能にする、
ことを特徴とする請求項９に記載のランプアセンブリ。
【請求項１１】
隣接する前記湾曲導光体は、互いに対してオフセットしていることを特徴とする請求項１０に記載のランプアセンブリ。
【請求項１２】
前記複数の導光体上の非対称発光面と前記レンズ上の対称光学処方とを更に含むことを特徴とする請求項１に記載のランプアセンブリ。
【請求項１３】
複数の光源と、
複数のロービーム導光体と複数のハイビーム導光体とを有する複数の導光体と、
前記複数の光源に接続され、ランプアセンブリに対する地域の照明要件の少なくとも１つとランプアセンブリの作動のモードとに基づいて、選択された該複数の光源を作動させて前記複数の導光体を通じて選択的に伝播する光を出射するコントローラと、
前記複数の導光体に光学的に接続された少なくとも１つのレンズと、
を含むことを特徴とするランプアセンブリ。
【請求項１４】
前記複数のロービーム導光体は、１つ又はそれよりも多くの主ロービーム導光体と１つ又はそれよりも多くの２次ロービーム導光体とを有し、該１つ又はそれよりも多くの２次ロービーム導光体は、該主ロービーム導光体の両側に隣接しており、前記コントローラは、ランプアセンブリがロービームモードで作動される時に、前記複数の光源の選択された１つを作動させて該２次ロービーム導光体の選択された１つにおいて光を伝播させることを特徴とする請求項１１に記載のランプアセンブリ。
【請求項１５】
前記１つ又はそれよりも多くの２次ロービーム導光体は、前記１つ又はそれよりも多くのロービーム導光体のうちの少なくとも１つの縁部からオフセットした段付き縁部を有することを特徴とする請求項１２に記載のランプアセンブリ。
【請求項１６】
前記１つ又はそれよりも多くの２次ロービーム導光体は、前記１つ又はそれよりも多くのロービーム導光体の幅よりも幅が狭いことを特徴とする請求項１５に記載のランプアセンブリ。
【請求項１７】
前記１つ又はそれよりも多くのハイビーム導光体に隣接して１つ又はそれよりも多くの端部ハイビーム導光体を更に含み、
前記１つ又はそれよりも多くのハイビーム導光体は、前記１つ又はそれよりも多くのハイビーム導光体の縁部からオフセットした段付き縁部を有する、
ことを特徴とする請求項１１に記載のランプアセンブリ。
【請求項１８】
前記１つ又はそれよりも多くのハイビーム導光体に隣接して１つ又はそれよりも多くの端部ハイビーム導光体を更に含み、
前記１つ又はそれよりも多くの端部ハイビーム光導体は、前記１つ又はそれよりも多くのハイビーム導光体の幅より幅が狭い、
ことを特徴とする請求項１１に記載のランプアセンブリ。
【請求項１９】
前記複数の導光体は、少なくとも１つの湾曲導光体を有し、
前記少なくとも１つの湾曲導光体は、ランプアセンブリが方向転換モードで作動される時に、選択された光源から出射された光を選択的に伝播させる、
ことを特徴とする請求項１１に記載のランプアセンブリ。
【請求項２０】
前記少なくとも１つの湾曲導光体は、湾曲導光体ではない前記複数の導光体よりも大きい幅を有し、
前記少なくとも１つの湾曲導光体の前記幅は、該少なくとも１つの湾曲導光体から出射された光の曲げを可能にする、
ことを特徴とする請求項１９に記載のランプアセンブリ。
【請求項２１】
隣接する前記湾曲導光体は、互いに対してオフセットしていることを特徴とする請求項２０に記載のランプアセンブリ。
【請求項２２】
前記複数の光源は、発光ダイオード（ＬＥＤ）であり、前記複数の導光体は、非対称出射面を有し、前記レンズは、対称光学処方を有することを特徴とする請求項１１に記載のランプアセンブリ。
【請求項２３】
複数の発光ダイオード（ＬＥＤ）と、
複数のロービーム導光体と複数のハイビーム導光体と複数の湾曲導光体とを含み、非対称出射面を有する複数の導光体と、
前記複数の発光ダイオードに接続され、ランプアセンブリに対する地域の照明要件の少なくとも１つとランプアセンブリの作動のモードとに基づいて、選択された該複数の発光ダイオードを作動させて前記複数の導光体を通って選択的に伝播する光を出射するコントローラと、
前記複数の導光体に光学的に接続され、対称光学処方を有する少なくとも１つのレンズと、
を含むことを特徴とするランプアセンブリ。
【請求項２４】
前記複数の導光体は、１つ又はそれよりも多くの主ロービーム導光体と、該１つ又はそれよりも多くの主ロービーム導光体の両側に隣接して前記複数のロービーム導光体の一部を形成する２次ロービーム導光体とを有し、該２次ロービーム導光体の選択された１つが、ランプアセンブリがロービームモードで作動される時に作動されることを特徴とする請求項２３に記載のランプアセンブリ。
【請求項２５】
前記１つ又はそれよりも多くの２次ロービーム導光体は、該１つ又はそれよりも多くの２次ロービーム導光体が前記１つ又はそれよりも多くの主ロービーム導光体に対して段付きであるように、該１つ又はそれよりも多くの主ロービーム導光体よりも大きい長さを有することを特徴とする請求項２４に記載のランプアセンブリ。
【請求項２６】
前記複数のハイビーム導光体の少なくとも１つの端部ハイビーム導光体が、該少なくとも１つの端部ハイビーム導光体が残りの前記１つ又はそれよりも多くのハイビーム導光体に対して段付きであるように、該残りの該１つ又はそれよりも多くのハイビーム導光体よりも大きい長さを有することを特徴とする請求項２３に記載のランプアセンブリ。
【請求項２７】
隣接する前記湾曲導光体は、互いに対してオフセットしていることを特徴とする請求項２３に記載のランプアセンブリ。
【発明の詳細な説明】
【技術分野】
【０００１】
本発明は、ランプアセンブリに関する。
【背景技術】
【０００２】
大部分の自動車は、車両を日中以外の時間中に運転することができるように車両に隣接した領域に光を出射するように使用される前照灯を有する。しかし、国又は地域が異なれば、ランプアセンブリから出射される光の要件も異なる。これは、国及び地域が異なれば車両を運転する道の側が異なることを要求する時に特にあてはまる。出射光が他の運転者を妨害しないように車両が道のどの側で運転されるかなどの多くの要素により、ランプアセンブリの異なる部分から出射することができる光量に関して規制又は要件が存在する。従って、１つの地域からの車両上のランプアセンブリは、一般的に、別の地域のランプアセンブリ要件に適合するものではない。
【０００３】
前照灯アセンブリは、ランプアセンブリから出射される光のパターンを変えるために変更することができる機械的構成要素を含むことができる。しかし、これらの機械的構成要素は、車両製造時に整列させなければならず、それによってランプアセンブリに必要とされる構成要素数が増え、従って、製造時間及び製造費が増大する。更に、機械的構成要素は、車両が異なる地域に入る時に機械的に変えなければならない。
【発明の概要】
【発明が解決しようとする課題】
【０００４】
従って、ランプアセンブリが複数の地域のランプアセンブリ規制及び要件に適合するように、ランプアセンブリから出射される光パターンを機械的部品の移動を必要とすることなく変えることができるランプアセンブリを開発することが望ましい。
【課題を解決するための手段】
【０００５】
本発明は、複数の光源、複数の導光体、及び少なくとも１つのレンズを含むランプアセンブリに関する。複数の導光体は、複数の光源に光学的に接続され、選択された複数の光源は、複数の導光体を通って選択的に伝播する光を出射する。少なくとも１つのレンズは、複数の導光体に光学的に接続される。
【０００６】
本発明が適用可能である更に別の領域は、これ以降で行う詳細説明から明らかになるであろう。詳細説明及び特定の実施例は、本発明の好ましい実施形態を示すが、単に例示を目的とし、本発明の範囲を限定することを意図したものではないことを理解すべきである。
【０００７】
本発明は、詳細説明及び添付図面からより深く理解されるであろう。
【図面の簡単な説明】
【０００８】
【図１】本発明の実施形態による複数の導光体の概略正面図である。
【図２】複数の光源に光学的に接続した複数の導光体の概略斜視図である。
【図３】本発明の実施形態によるランプアセンブリの斜視図である。
【図４】本発明による様々なアイソメトリックビームパターンの１つを示すグラフである。
【図５】本発明による様々なアイソメトリックビームパターンの１つを示すグラフである。
【図６】本発明による様々なアイソメトリックビームパターンの１つを示すグラフである。
【図７】本発明による様々なアイソメトリックビームパターンの１つを示すグラフである。
【図８】本発明による様々なアイソメトリックビームパターンの１つを示すグラフである。
【図９】本発明による様々なアイソメトリックビームパターンの１つを示すグラフである。
【図１０】本発明による様々なアイソメトリックビームパターンの１つを示すグラフである。
【図１１】本発明による様々なアイソメトリックビームパターンの１つを示すグラフである。
【図１２】本発明による様々なアイソメトリックビームパターンの１つを示すグラフである。
【図１３】本発明による様々なアイソメトリックビームパターンの１つを示すグラフである。
【図１４】本発明による様々なアイソメトリックビームパターンの１つを示すグラフである。
【図１５】本発明による様々なアイソメトリックビームパターンの１つを示すグラフである。
【図１６】本発明による様々なアイソメトリックビームパターンの１つを示すグラフである。
【図１７】本発明による様々なアイソメトリックビームパターンの１つを示すグラフである。
【図１８】本発明による様々なアイソメトリックビームパターンの１つを示すグラフである。
【図１９】本発明による様々なアイソメトリックビームパターンの１つを示すグラフである。
【発明を実施するための形態】
【０００９】
好ましい実施形態の以下の説明は、単に本質において例示的なものであり、かついかなる点においても本発明、その用途、又は使用法を限定することを意図したものではない。
【００１０】
図１〜図３を参照すると、ランプアセンブリが１０で全体的に示されている。ランプアセンブリ１０は、複数の光源１２を含む。１４で全体的に示す複数の導光体は、光源１２に光学的に接続されている。光源１２は、選択された導光体１４を通って伝播する光を選択的に出射する。例示であって制限するものとしてではなく、光源１２は、発光ダイオード（ＬＥＤ）とすることができ、少なくとも１つの光源１２を単一の対応する導光体１４に光学的に接続することができる。少なくとも１つのレンズ１６は、複数の導光体１４に光学的に接続されている。
【００１１】
複数の導光体１４は、１１４で全体的に示す複数のロービーム導光体を含む。複数のロービーム導光体１１４には、少なくとも１つの主ロービーム導光体１１４ａが含まれている。ランプアセンブリ１０が作動した時、光源１２は、常に、主ロービーム導光体１１４ａを通って伝播する光を出射する。互いに隣接する２つの主ロービーム導光体１１４ａが存在する可能性があり、従って、光源１２は、ライトアセンブリ１０が作動した時に、両方のロービーム導光体１１４ａを通って伝播する光を常に出射し、図４に示すようにビームパターン４００が生成される。以下で説明するように、ランプアセンブリ１０によって照明される望ましい領域及びその領域を照らす規制により、あらゆる数のロービーム導光体１１４ａを使用することができることを認めるべきである。
【００１２】
更に、複数のロービーム導光体１１４は、主ロービーム導光体１１４ａの両側に隣接する２次ロービーム導光体１１４ｂを含む。光源１２の少なくとも１つは、ライトアセンブリ１０がそれぞれ図５及び６に示すようにビームパターン４０２、４０４を生成することができるロービームモードで作動した時、２次ロービーム導光体１１４ｂのうちの１つを通って伝播する光を選択的に出射する。従って、ランプアセンブリ１０がロービームモードで機能している時、選択された対応する光源１２は、以下で説明するように、ランプアセンブリ１０がどの地域に使用中であるかにより、２次ロービーム導光体１１４ｂのうちの１つを通って伝播する光のみを出射する。
【００１３】
２次ロービーム導光体１１４ｂは、縁部１１７及び１１５が互いに対してオフセットするように主ロービーム導光体１１４ａに対して位置決めされる。この段付き形態を有することによって、ランプアセンブリ１０から出射される光は、段付き形態を有する導光体を含まないランプアセンブリと比較した時、ビームパターン４０６、４０８において高く、かつそれぞれ図７及び８に示すように通電された２次ＬＥＤ１２及び光導体１１４ａ及び１１４ｂに関連する道路の側に出射される光量が増加する。
【００１４】
複数の導光体１４は、複数のハイビーム導光体２１４も含む。複数のハイビーム導光体２１４の各々は、各ロービーム導光体１１４より狭い幅を有する。それによってハイビーム導光体２１４から出射される光の強度が増大する。代替的に、図２に示すように、ハイビーム導光体２１４は、ロービーム導光体１１４と同じ幅とすることができるが、ハイビーム導光体２１４の各々の幅を変えるのではなく、ハイビーム導光体２１４の光源の強度の方が大きいとすることができる。光源１２は、ランプアセンブリ１０が図９に示すようにビームパターン４１０を生成するようにハイビームモードで作動した時、選択された導光体１４を通って伝播する光を選択的に出射する。ランプアセンブリ１０がハイビームモードで作動した時に、対応する光源１２は、２次ロービーム導光体１１４ｂの両方を含む全てのハイビーム導光体２１４及びロービーム導光体１１４を通って伝播させる光を出射する。ランプアセンブリ１０がハイビームモードで機能している時、最大領域にわたってできるだけ多くの光を出射することが望ましく、従って、光源１２は、ロービーム導光体１１４及びハイビーム導光体２１４の全てを通って伝播し、図１０に示すようにビームパターン４１２を生成する光を選択的に出射する。ハイビーム導光体２１４は、ランプアセンブリ１０内ではロービーム導光体１１４より下方とすることができる。しかし、ランプアセンブリ１０によって照明される領域を制御するためにあらゆる所定の方法でロービーム導光体１１４に対してハイビーム導光体２１４を位置決めすることができることを認めるべきである。
【００１５】
更に、複数のハイビーム導光体２１４は、複数のハイビーム導光体２１４の端部を形成する２つの端部ハイビーム導光体２１４ｃを含むことができる。ハイビーム導光体２１４ｃは、縁部１１９が、ロービーム導光体１１４ｂ縁部１１５に直接に隣接してロービーム段付き形態を酷似するように位置決めされる。それによって図１０に示すように、いかなる暗い帯域又は間隙もない連続的なビームパターン４１４をランプアセンブリ１０から出射することができる。
【００１６】
複数の導光体１４は、少なくとも１つの湾曲導光体３１４を含むこともできる。光源１２は、ランプアセンブリが方向転換モードで作動した時に、湾曲導光体３１４を通って選択的に伝播する光を選択的に出射し、上述のように、図１４に示すようなビームパターン４１６が生成される。湾曲導光体は、光源からの光のより大きい湾曲を容易にするために他の導光体よりも広いとすることができる。代替的に、互いに隣接して互いにオフセットし、かつそれぞれ図１４〜図１９に示すような進行性ビームパターン４１８、４２０、４２２、４２４、４２６、４２８を生成する複数の湾曲導光体３１４が存在する。
【００１７】
一般的に、導光体１４は、非対称発光面１８を有し、レンズ１６は、対称光学処方を有する。非対称発光面１８を有する導光体１４及び対称光学処方を有するレンズ１６の組合せにより、望ましい光パターンをランプアセンブリ１０から投射することができる。レンズ１６の非対称発光面１８及び対称光学処方は、ライトアセンブリ１０から望ましい投射を生成するために互いに依存している。従って、非対称発光表面１８及びレンズ１６の対称光学処方の一方又は両方を変えると、ランプアセンブリ１０から出射される光パターンが変わる。
【００１８】
例示であって制限するものとしてではなく、作動面では、ランプアセンブリ１０は、自動車（図示せず）上に使用される。ランプアセンブリ１０は、光源１２のためのハウジング２０、ランプアセンブリ１０を自動車に接続するブラケットアセンブリ２２、及び導光体１４及びレンズ１６のためのハウジング２４を含む。ランプアセンブリ１０がロービームモードで作動した時に、コントローラ２１は、主ロービーム導光体１１４ａを通って光を選択的に伝播させる光を出射する選択された光源１２を判断する。コントローラ２１は、ハウジング２０の外部とすることができ、又はハウジングと一体化することができる。自動車がどの地域において使用されるのか、及び以下に限定されるものではないが、道路の右側又は道路の左側を通行する必要がある地域で車両を運転しているか否かのようなその地域でのランプアセンブリ１０の照明要件により、選択された２次ロービーム導光体１１４ｂが作動することになる。従って、車両が道路の右側を通行する所で車両を運転している場合、湾曲導光体３１４に隣接する２次ロービーム導光体１１４ｂを選択的に使用して光源１２から光を伝播させる。主ロービーム導光体１１４ａ及び選択された２次ロービーム導光体１１４ｂを用いて、ホットスポット、すなわち、出射される光が最も集中されるランプアセンブリ１０上の位置を形成する。ホットスポットを利用して、車両を運転している地域でのランプアセンブリ１０規制にランプアセンブリが適合するかを判断することができる。しかし、車両が道路の左側を通行していて、かつ他の２次ロービーム導光体１１４ｂが主ロービーム導光体１１４ａと共に作動していた地域で車両を運転している場合、ホットスポットは、２次ロービーム導光体１１４ｂが作動するランプアセンブリ１０の側に移動される。
【００１９】
ランプアセンブリ１０がハイビームモードで作動する時に、コントローラ２１は、選択されたロービーム導光体１１４及びハイビーム導光体２１４を通って光を伝播させる選択された光源１２を判断する。従って、主ロービーム導光体１１４ａ及びハイビーム導光体２１４に加えて、両方の２次ロービーム導光体１１４ｂが使用され、その理由は、ランプアセンブリ１０がハイビームモードで作動している時、ランプアセンブリ１０が可能である最大領域にわたって光を出射することが望ましいからである。更に、コントローラ２１は、ランプアセンブリ１０が方向転換モードで操作された時に、湾曲導光体３１４通って光を選択的に伝播させることができる選択された光源１２を判断する。ランプアセンブリ１０は、車両がカーブを切っており、かつ車両からオフセットした車両がカーブを切っている領域を照明することが望ましい時に方向転換モードで作動する。
【００２０】
導光体１４毎に個々の光源１２を含むことにより、光源１２は、どの導光体から光を出射することが望ましいかによってコントローラにより選択的に作動させることができる。従って、車両が地域を変えた場合、ランプアセンブリ１０の構成要素のいかなる機械的移動も必要とすることなく、コントローラ２１を使用して、その地域のランプアセンブリ１０要件に適合するように異なる光源１２を作動させることができる。更に、単一のランプアセンブリ１０を製造し、制御ユニットを使用して、機械的構成要素を変えるのではなく、ランプアセンブリ１０によって照明される領域を変えるように、複数の地域において使用される自動車上で使用することができる。図４〜図１９に示すビームパターンは、例示的なものにすぎず、実際のビームパターンは、望ましいパターン又は本発明の特定の用途に基づいて異なる可能性がある。
本発明の説明は、本質的に単に例示的であり、従って、本発明の要旨から逸脱しない変形は、本発明の範囲内であるように意図している。このような変形は、本発明の精神及び範囲から逸脱したものと見なさないものとする。
【符号の説明】
【００２１】
１０  ランプアセンブリ
１２  光源
１１４  ロービーム導光体
２１４  ハイビーム導光体
【図１】
2010519696.tif 000003
【図２】
2010519696.tif 000004
【図３】
2010519696.tif 000005
【図４】
2010519696.tif 000006
【図５】
2010519696.tif 000007
【図６】
2010519696.tif 000008
【図７】
2010519696.tif 000009
【図８】
2010519696.tif 000010
【図９】
2010519696.tif 000011
【図１０】
2010519696.tif 000012
【図１１】
2010519696.tif 000013
【図１２】
2010519696.tif 000014
【図１３】
2010519696.tif 000015
【図１４】
2010519696.tif 000016
【図１５】
2010519696.tif 000017
【図１６】
2010519696.tif 000018
【図１７】
2010519696.tif 000019
【図１８】
2010519696.tif 000020
【図１９】
2010519696.tif 000021
【国際調査報告】
2010519696.tif 000022
2010519696.tif 000023